Podtech/llm-jp-corpus-v4-ja_patent huggingface dataset:
(57)【要約】      （修正有）【課題】軟らかな薄いゴムで出来たゴルフ用ティーピンを通常の木やプラスチックのティーピンの用に容易に土壌に刺し込み使用出来るゴルフ用のティーピンを提供する。【解決手段】ゴルフ用ティーピンは、主として、木又は、プラスチックからなる第１の部分４と、薄いゴムからなる、第２の部分３とで構成する。さらに、前記第１の部分は棒状に形成され、一端は、土壌に刺し込む為、先端が細くなっており、他端には、溝が設けられ、前記第２の部分は、円筒状に形成され一端は、前記溝に接続され、他端は、ボールを載せる部分を、逆八の字にして、面積を広くしてなる。【選択図】図１
0003163800.tif 000002
【実用新案登録請求の範囲】
【請求項１】
ゴルフボールの重さに対してギリギリに、折れ曲がる事の無い、薄くした、ゴムで作製したゴルフ用ティーピン。
【請求項２】
上記ティーピンを土壌に刺し込む為、補助具▲６▼として、バネにより摘み部を上下させ使用する補助具。
【請求項３】
上記ティーピンのバネの使用を無くし、摘み部を円筒形の▲２▼を摘み部とした図４の補助具。
【考案の詳細な説明】
【技術分野】
【０００１】ゴルフプレー時にティーショットを、打つ時に使用するティーピンで薄いゴム素材を主体として形成されたティーピン。
【背景技術】
【０００２】従来のゴム用のティーピンはゴム部が厚い為に木、又はプラスチック素材のティーピン使用時の感覚は変わりなく、又ゴムを軟らかくしたティーピンは土壌に刺す時ティーピンにボールを添えて刺す事が出来ず使用が困難である。
【先行技術文献】
【特許文献】
【０００３】
【特許文献１】特開２００３−１８０８９４
【考案が解決しようとする課題】
【０００４】薄いゴムで形成されたティーピンを土壌に刺し使用する時、通常の木又はプラスチックの堅い素材で出来たティーピンの用にボールをティーピンに添えて刺し使用する事が出来無いティーピンを通常のピンの様な使用感覚で土壌に刺し使用可能とする事。
【課題を解決する為の手段】
【０００５】薄いゴム形成されたティーピンで柔軟性がある為通常の木などの堅い素材で出来たティーピンの用にボールをピンに添えて土壌に刺す事が出来無い為に補助具▲６▼又は▲６▼を使用する事で堅い素材で出来たピンと同様の感覚で軟らかなピンを土壌に刺す事を可能にした事で課題を解決。
【考案の効果】
【０００６】通常の木、又はプラスチックの堅い素材のティーピンと異なり薄いゴムの為、衝撃を感じさせず空中に浮いているボールを打つ感覚を提供出来るティーピンである。
【図面の簡単な説明】
【０００７】
【図１】ティーピンに補助具をセットした時の断面図。
【図２】補助具を取り除きボールをセット時の断面図。
【図３】▲２▼の摘み部のある補助具１案の断面図。
【図４】摘み部の無い補助具２案の断面図。
【発明を実施する為の形態】
【０００８】ゴムと木、又はプラスチックと補助具とで形成されたティーピンでボールを載せる部分のゴムを逆八の字にし面積を広くする事でボールの安定を図り、ピンを土壌にセット使用する時、通常の堅い素材のティーピンと同様にボールとピンを同時に持つ事により▲２▼の摘み部が押し込まれ差し込む力が▲４▼に伝わり、通常ピンの用に土壌にセットする事が出来、セット後ボールを外し▲５▼のバネにより▲２▼が浮上し▲２▼を摘み▲６▼の補助具全体を取り除き▲１▼のボールを▲６▼の無い▲３▼のティーピンにボールをセットして使用するティーピン。
【符号の説明】▲１▼ゴルフボール  ▲２▼摘み部  ▲３▼ゴム部  ▲４▼プラスチック又は木
▲５▼バネ  ▲６▼補助具  ▲７▼皿ネジ  ▲８▼土壌
【図１】
0003163800.tif 000003
【図２】
0003163800.tif 000004
【図３】
0003163800.tif 000005
【図４】
0003163800.tif 000006
【手続補正書】
【提出日】平成22年8月9日(2010.8.9)
【手続補正１】
【補正対象書類名】実用新案登録請求の範囲
【補正対象項目名】全文
【補正方法】変更
【補正の内容】
【実用新案登録請求の範囲】
【請求項１】
木又は、プラスチックからなる第１の部分と、薄いゴムからなる、第２の部分とで、構成されるゴルフ用ティーピンであって、前記第１の部分は棒状に形成され、一端は、土壌に刺し込む為、先端が細くなっており、他端には、溝が設けられ、前記第２の部分は、円筒状に形成され一端は、前記溝に接続され、他端は、ボールを載せる部分を、逆八の字にして、面積を広くした事を特徴とするゴルフ用ティーピン。
【請求項２】
請求項１に記載のゴルフ用ティーピンを、土壌に刺し込む為の補助具で有って、前記第２の部分の内部に挿入される本体部と、前記本体部の内部に入れられたバネと、前記バネにより上下動する、補助具をゴルフ用ティーピンから取り除く為の摘み部とからなる事を特徴とする補助具。
【請求項３】
請求項１に記載のゴルフ用ティーピンを、土壌に刺し込む為の補助具で有って、前記第２の部分の内部に挿入される本体部と、前記本体部に設けられる、補助具をゴルフ用ティーピンから取り除く為の円筒状の摘み部とからなる事を特徴とする補助具。
(57)【要約】      （修正有）【課題】敷布団にしっかり固定できる寝具用敷マットを提供する。【解決手段】寝具用敷マット本体の角から両辺３０センチの所に長さ５０センチ程のヒモを、４つの角すべてに２本ずつ、合計８本のヒモを取り付ける。敷布団の一角の裏で２本のヒモを結ぶ。４つの角すべてでヒモを結ぶことにより、寝具用敷マットを敷布団から、ずれずにしっかり固定して取り付けることができる。【選択図】図１
0003163791.tif 000002
【実用新案登録請求の範囲】
【請求項１】
伸縮しないヒモを敷マット本体に８本取り付けることにより、敷布団に敷マットを、ずれずに固定して取り付けることを特徴とした寝具用敷マット〔図１〕
【考案の詳細な説明】
【技術分野】
【０００１】  本考案は、敷布団に敷マットを固定するため、敷マットにヒモを８本取り付けた寝具用敷マットに関するものである。
【背景技術】
【０００２】  従来は、寝具用敷マットの四つの角にゴムヒモが付いていて、敷布団の四つの角に引っ掛けることによって着脱していた。
【考案の開示】
【考案が解決しようとする課題】
【０００３】  しかしながら、以上の技術によれば、使用するにつれてゴムヒモが伸びてしまい、敷マットが敷布団にしっかり固定できず、ずれてしまう欠点があった。
そこで、この考案は、敷布団にしっかり固定できる寝具用敷マットを提供することを課題とする。
【課題を解決するための手段】
【０００４】  以上の課題を解決するために、ゴムヒモではなく〔図１〕が示すように伸縮しないヒモの片隅を敷マットに８本縫い付け、〔図３〕示すように敷布団の四つの角の裏で縛る。
【考案の効果】
【０００５】  この考案によれば、寝具用敷マットを敷布団から、ずれずにしっかり固定できる効果がある。
【考案を実施するための形態】
【０００６】  この考案の一実施形態を、図１に示す。敷マット本体は厚めのタオル地で、大きさは敷布団の面積と同じである。この敷マットの角から両辺３０センチのところ二ヶ所に、伸縮しないヒモの片隅を、ミシンで縫い付ける。四つの角があるので、合計８本の伸縮しないヒモを取り付けることになる。伸縮しないヒモは太さ２．５センチ位で長さは５０センチ位の平たいヒモがよい。
【０００７】  〔図３〕が示すように、寝具用敷マット本体の一角に縫い付けた２本の伸縮しないヒモを、敷布団の一角の裏で結ぶ。角が４つあるので、４ヶ所すべて結び、寝具用敷マットを敷布団に取り付ける。
【実施形態の効果】
【０００８】  この実施形態によれば、［図２］が示すように寝具用敷マットを、ずれずに敷布団にしっかり固定できる。
【図面の簡単な説明】
【０００９】
【図１】寝具用敷マットを敷布団から取り外した時の立体図である。
【図２】寝具用敷マットを敷布団に取り付けた時の表面の斜視図である。
【図３】寝具用敷マットを敷布団に取り付けた時の裏面の斜視図である
【図４】図３の一角の拡大図である
【符号の説明】
【００１０】１        敷マット本体
２        敷布団
３〜１０  伸縮しないヒモ
【図１】
0003163791.tif 000003
【図２】
0003163791.tif 000004
【図３】
0003163791.tif 000005
【手続補正書】
【提出日】平成22年5月19日(2010.5.19)
【手続補正１】
【補正対象書類名】図面
【補正対象項目名】図３
【補正方法】変更
【補正の内容】
【図３】
0003163791.tif 000006
【手続補正２】
【補正対象書類名】図面
【補正対象項目名】図４
【補正方法】変更
【補正の内容】
【図４】
0003163791.tif 000007
【手続補正書】
【提出日】平成22年5月19日(2010.5.19)
【手続補正１】
【補正対象書類名】実用新案登録請求の範囲
【補正対象項目名】全文
【補正方法】変更
【補正の内容】
【実用新案登録請求の範囲】
【請求項１】
敷マット本体の一角から両辺３０センチの所に伸縮しないヒモを２本  取り付ける。四つの角すべてに取り付けるので、合計８本の伸縮しないヒモを取り付けることになる。
敷マットを敷布団に乗せ、敷きマットの一角に取り付けた２本のヒモを敷布団の裏で結ぶ。四つの角すべてで結ぶことにより、敷マットを敷布団に固定して取り付けることを特徴とした寝具用敷マット。
【手続補正書】
【提出日】平成22年8月6日(2010.8.6)
【手続補正１】
【補正対象書類名】実用新案登録請求の範囲
【補正対象項目名】全文
【補正方法】変更
【補正の内容】
【実用新案登録請求の範囲】
【請求項１】
敷マット本体の４つの角すべてにおいて、敷マット本体の一角から両辺３０センチの所に伸縮しないヒモを２本ずつ、合計８本の伸縮しないヒモが取り付けられており、当該伸縮しないヒモの長さは、敷マットを敷布団に乗せ、敷マット本体の４つの角すべてにおいて、敷きマットの一角に取り付けた２本のヒモを敷布団の裏で結ぶことにより、敷マットを敷布団に固定して取り付けことができる長さであることを特徴とした寝具用敷マット。
(57)【要約】      （修正有）【課題】簡単にお天気を調べる事が出来る手帳・カレンダーを提供する。【解決手段】日割りの枠を有する手帳・カレンダーであって、日割りの枠内に晴・曇・雨・雪・雷の文字又はマークである天気記号を記入した表示部を設ける。【選択図】図１
0003163795.tif 000002
【実用新案登録請求の範囲】
【請求項１】
日割りの枠を有する手帳・カレンダーであって日割りの枠内に天気記号の表示部を設けた事を特徴とするお天気記号付き手帳・カレンダー
【考案の詳細な説明】
【技術分野】
【０００１】本考案は曜日に天気記号を入れておき、そのマークに○印を付けるものである。
【背景技術】
【０００２】今迄のシステム手帳・カレンダー・事務用・学生用手帳には晴・曇・雨・雪・雷等の記号が無い為手書きしていたが、忙しい時にはつい忘れて後日になれば思い出せない事が多くありました。
【考案の概要】
【考案が解決しようとする課題】
【０００３】手書きで天気を記入する事を忘れ無いように初めから天気・気候が記入してあれば忘れない又天気予報にも関心が持てる様になります。
【課題を解決するための手段】
【０００４】手帳やカレンダーに初めから晴・曇・雨・雪・雷等を記入してあれば、○で囲むだけで良いので、忘れることが少なくなる。後日調べ直す手間が省ける。
【考案の効果】
【０００５】今までは、晴・曇・雨・雷の記載が無かったので毎日手書きをしていた。今後は○で囲むだけで時間の短縮及び記入忘れが無く、後に見直す時は非常に便利である。
【図面の簡単な説明】
【０００６】
【図１】本考案に係るお天気記号付き手帳・カレンダーの図である。
【考案を実施するための形態】
【０００７】図１に示すように本考案は、手帳・カレンダーに表示された日割りの枠１の各枠毎に、各種の天気記号の表示部２を設けたものである。
表示部２の各枠内における位置は、例えば上部・下部など使用者の好みに応じて決定する事が出来る。
本考案における天気記号として文字・記号（晴マーク・傘マーク・曇マーク等）を用いることが出来る。
【符号の説明】
【０００８】１・・・・・日割りの枠
２・・・・・天気記号の表示部
【図１】
0003163795.tif 000003
【手続補正書】
【提出日】平成22年7月5日(2010.7.5)
【手続補正１】
【補正対象書類名】実用新案登録請求の範囲
【補正対象項目名】全文
【補正方法】変更
【補正の内容】
【実用新案登録請求の範囲】
【請求項１】
日割りの枠を有する手帳・カレンダーであって日割りの枠内に、晴・曇・雨・雪・雷の文字又はマークである天気記号を記入した表示部を設けた事を特徴とするお天気記号付手帳・カレンダー
(57)【要約】      （修正有）【課題】ゴムヘラなどを使用せずに、鍋やフライパン等の内部に付着したカレーやシチュウーなど付着しやすい料理や、重箱やタッパー等の角の部分に残ったものを綺麗にすくい取ることが出来るヘラ付お玉を提供する。【解決手段】本ヘラ付お玉は、すくい部左右４がやわらかいゴム製で、調理器具や容器５の内部の形状に変形し密着するため従来のお玉では取ることが出来なかった付着しやすい料理や容器の角に残ったものを簡単に取ることが出来る。また、すくい部中央２先端は硬いプラスチィックまたは金属製のため従来のお玉同様炒め料理などにも使用できる。【選択図】図２
0003163796.tif 000002
【実用新案登録請求の範囲】
【請求項１】
お玉のすくい部分の左右がやわらかいゴム製で、鍋やフライパンなどの調理器具の内側に付着した食材や重箱やタッパー等の容器内側の角の食材を残さずすくい取る事のでき、中央先端は硬いプラスチィックまたは金属製で、炒め調理など従来のお玉と同じ使用方法が出来るヘラ付お玉。
【考案の詳細な説明】
【技術分野】
【０００１】  本発明は、調理器具であるお玉に関する。
【背景技術】
【０００２】  従来のお玉は、鍋やフライパン等の調理器具の内部に着いたカレーやシチュウー等の付着しやすい料理はゴムヘラなどを使用しなければ綺麗に取ることが出来なかった。【０００３】  また、従来のお玉で取れなかった料理をそのまま洗い流せば水質汚染の原因になる。
【考案の概要】
【考案が解決しようとする課題】
【０００４】  従来のお玉は、すくい取る部分が球状になっていて鍋やフライパン等の調理器具との接触面積が小さいため内部に付着した料理を全てすくい取ることが出来なかった。（図４参照）【０００５】  従来のお玉は、すくい取る部分が球状になっていて重箱やタッパー等の容器の内部の角の部分に残った料理をうまく取ることが出来なかった。
【考案の実施】
【０００６】  すくい部中央部（２）はプラスチィックまたは金属製で、すくい部の左右（４）はやわらかいゴム製とする。
【０００７】  すくい部中央（２）はプラスチィックまたは金属製なので炒め調理など従来の調理作業が出来る。
【０００８】  鍋やフライパン等の調理器具に付着したものは、すくい部左右（４）を調理器具の内部に押し当てると調理器具の内部の形状に変形し密着してすくい取る。（図２参照）
【０００９】  重箱やタッパー等の容器内側の角の部分に残った物はすくい部左右（４）を容器内部の角に押し当てると容器の内部の形状に変形し密着してすくい取る。（図３参照）
【考案の効果】
【００１０】  本考案は、上記説明したように従来のお玉ではすくい取れなかったカレーやシチュウーなど付着しやすい料理を綺麗にすくい取ることが出来るヘラ付お玉。
【００１１】  本考案は、上記説明したように重箱やタッパーなどの内側の角の部分に残った物もすくい部左右で綺麗にすくい取る事の出来るヘラ付お玉。
【００１２】  本考案は、上記説明したように調理器具または容器の内部を残さず取ることが出来るため、付着して残ったものを洗い流すことが無いため水質汚染などならず、環境にも良いヘラ付お玉。
【００１３】  本考案は、上記説明したようにすくい部左右のみやわらかいゴム製で先端はプラスチィックまたは金属製なので、炒め料理など従来のお玉と同様の使用方法が出来るヘラ付お玉。
【図面の簡単な説明】
【００１４】
【図１】ヘラ付お玉の斜視図である。
【図２】ヘラ付お玉と鍋との関係図である。
【図３】ヘラ付お玉と重箱の関係図である
【図４】従来のお玉と鍋の関係図である。
【符号の説明】
【００１５】１        ヘラ付お玉本体
２        ヘラ付お玉すくい部中央
３        ヘラ付お玉もち手
４        ヘラ付お玉すくい部左右ゴム製部分
５        鍋
６        重箱
７        従来のお玉
【図１】
0003163796.tif 000003
【図２】
0003163796.tif 000004
【図３】
0003163796.tif 000005
【図４】
0003163796.tif 000006
【手続補正書】
【提出日】平成22年6月2日(2010.6.2)
【手続補正１】
【補正対象書類名】実用新案登録請求の範囲
【補正対象項目名】全文
【補正方法】変更
【補正の内容】
【実用新案登録請求の範囲】
【請求項１】
お玉のすくい部分の左右がやわらかいゴム製で、お玉のすくい部分の先端中央は硬いプラスティックまたは金属製であるヘラ付お玉。
(57)【要約】      （修正有）【課題】複数のＬＥＤ基板を一体に配置したＬＥＤ基板を、一枚のＬＥＤ基板で構成した構造のＬＥＤ基板を提供する。【解決手段】高熱伝導性を有する基材６の表面に、無機材料からなるフィラを含有する絶縁体７を介して回路が形成され、この回路に沿って配置された複数のＬＥＤ素子５と、このＬＥＤ素子に定電流を供給する定電流素子とからなり、前記回路は基板の表面に複数離間して形成された同じパターンからなる回路であるＬＥＤ基板２である。【選択図】図２
0003163764.tif 000002
【実用新案登録請求の範囲】
【請求項１】
ＬＥＤ素子を多数実装したＬＥＤ基板であって、高熱伝導性を有する基材の表面に、無機材料からなるフィラを含有する絶縁体を介して回路が形成され、この回路に沿って配置された複数のＬＥＤ素子と、このＬＥＤ素子に定電流を供給する定電流素子とからなり、前記回路は基板の表面に複数離間して形成された同じパターンからなる回路であることを特徴とするＬＥＤ基板。
【考案の詳細な説明】
【技術分野】
【０００１】
本考案は、ＬＥＤ照明用基板であって、とくに多数のＬＥＤ素子を分割して配置して広範囲の照明に使用できると共に、放熱性に優れたＬＥＤ基板に関するものである。
【背景技術】
【０００２】
近年、ＬＥＤを使用した各種の照明装置が提案され商品化されている。ＬＥＤは従来の光源の構成と異なり、長寿命であり、消費電力が少ないという特徴がある。
【０００３】
この特徴を利用するＬＥＤを光源とした平面状のランプモジュールが多数提案されている。例えば、薄型化を図りつつ、可能な限り構成部品を共通化することができる照明装置がある（特許文献１参照。）。
【先行技術文献】
【特許文献】
【０００４】
【特許文献１】特開２００９−０１６０９４号公報
【考案の概要】
【考案が解決しようとする課題】
【０００５】
しかしながら、上記特許文献１に提案されている技術は、複数のＬＥＤを装着したＬＥＤ基板基板を各種の取り付け孔を施した放熱板に取り付ける構成であり、ＬＥＤ基板を任意の位置に配置して広い照射を可能とすすものであるが、ＬＥＤ素子や他の部品の実装と、放熱板と取り付け作業が必要となり、製造工程が複雑となり、コスト増となるものであった。
【０００６】
上記の問題点に鑑み本考案者は、複数のＬＥＤチップで構成された半導体部品であるＬＥＤ素子を使用して必要な光量を確保すると共に、高熱伝導性を有する金属基板上に同じパターンからなる回路を複数離間して形成することによって広範囲の照明に使用できるＬＥＤ基板を提供するに至った。
【課題を解決するための手段】
【０００７】
このため、本発明のＬＥＤ基板は、ＬＥＤ素子を多数実装したＬＥＤ基板であって、高熱伝導性を有する基材の表面に、無機材料からなるフィラを含有する絶縁体を介して回路が形成され、この回路に沿って配置された複数のＬＥＤ素子と、このＬＥＤ素子に定電流を供給する定電流素子とからなり、前記回路は基板の表面に複数離間して形成された同じパターンからなる回路であることを特徴とする。
【０００８】
尚、本考案に使用する基材は、アルミなどの熱伝導性が高い金属材料が望ましい。
【考案の効果】
【０００９】
本考案に係るＬＥＤ基板によれば、同一のパターンの回路を複数離間した状態で基板上に形成するため、ＬＥＤ素子や他の電子部品の実装が容易となり、しかも、基板同士を組み立てるコストを必要としないという効果を有する。
【００１０】
また、ＬＥＤ基板自体が、高熱伝導率を有しており、複数のＬＥＤ素子からの発熱を効果的に放熱できる。
【図面の簡単な説明】
【００１１】
【図１】従来のＬＥＤ基板の一実施例を示す平面図である。
【図２】本考案に係るＬＥＤ基板の一実施例を示す平面図である。
【図３】図２の側面説明図である。
【考案を実施するための形態】
【００１２】
以下、本考案を実施例を示す図面を参照しながら説明するが、本考案が本実施例に限定されないことは言うまでもない。図１は、従来のＬＥＤ基板の例を示す平面図、図２は本考案のＬＥＤ基板の一実施例を示す平面図、図３は図２の側面説明図である。
【００１３】
図１に示すように、従来は、Ａｌ等の放熱性を有する放熱板１の表面に、複数（４枚）のＬＥＤ基板２が接着剤（図示せず）とネジ３によって固定されて形成されており、ケーブル４によって外部電源(図示せず）と接続されてＬＥＤ素子５が発光する。
【００１４】
このＬＥＤ基板２は、予め同一の回路を複数形成した金属ベースの基板で形成されており、矩形サイズに成形した後、ＬＥＤ素子５などの電子部品が実装されて放熱板１上に所定の間隔に離間して接着剤（図示せず）とネジ３によって固定される。このためＬＥＤ素子５などの電子部品の実装や、放熱板１への取り付けに時間と経費を必要とするためコストアップとなった。
【実施例】
【００１５】
本考案の実施例を図２乃至図３で説明する。図に示すように本考案のＬＥＤ基板２は、一枚の高熱伝導性を有するＡｌなどの基材６に無機材料からなるフィラを含有する絶縁体７を介して回路（図示せず）が形成されており、この回路の上にＬＥＤ素子５などの電子部品が実装されている。尚、回路の配置位置に関しては上記図１の従来例と同一である。
【００１６】
図３は図２の側面説明図である。図に示すように、複数のＬＥＤ素子５がＬＥＤ基板２上に直接実装されている。この構成からなる本考案のＬＥＤ基板２は、一枚の高熱伝導性を有する基材６に複数の同一回路が離間して形成されており、ＬＥＤ素子５などの電子部品はこの一枚の基材６に対して一度の実装作業で実装するこができる。また、従来のＬＥＤ基板と異なり、複数のＬＥＤ基板を放熱板上に接着剤やネジなどによって取り付ける必要がなく、短時間且つ安価に製造することができる。
【００１７】
そして上記の構成のＬＥＤ基板は、ＬＥＤ素子５から生じる熱を、高熱伝導性を有する基材６から直接外部に照明器具の熱設計が容易となる。
【００１８】
以上、本考案のＬＥＤ基板によれば、同一のパターンの回路を複数離間した状態で基板上に形成するため、ＬＥＤ素子や他の電子部品の実装が容易となり、製造コストが安価となる。しかも、放熱板の機能をＬＥＤ基板の基材が兼ねるため、熱効率がよい。
【符号の説明】
【００１９】
１              放熱板
２              ＬＥＤ基板
３              ネジ
４              ケーブル
５              ＬＥＤ素子
６              基材
７              絶縁体
【図１】
0003163764.tif 000003
【図２】
0003163764.tif 000004
【図３】
0003163764.tif 000005
(57)【要約】      （修正有）【課題】電源をこまめに入・切出来、エコにも役立つテーブルタップを提供する。【解決手段】本体と操作部から成るテーブルタップにおいて、前記操作部で電源の操作、入・切をする為の構成を有することを特徴とする。前記操作部は本体とは分離して丸形構造であり、前記本体とは電源及び操作コードによって連結し、電源の操作、入・切が出来る。【選択図】図１
0003163789.tif 000002
【実用新案登録請求の範囲】
【請求項１】
本体と操作部から成るテーブルタップ
【請求項２】
電源の操作は手元にて可能です
【請求項３】
本体と操作部の形状は現在意匠登録出願申請中です
【考案の詳細な説明】
【技術分野】
【００１】本考案は本体と操作部から構成され電源を『こまめ』に『入・切』出来て、『エコ』にも役立つ
【背景技術】
【００２】従来のテーブルタップの形状（デザイン等）は無味乾燥と思われる。そこで形、系統を考え現代風にアレンジしました（着色、カラー→自由）
【考案の開示】
【考案が解決しようとする課題】
【００３】負荷が未使用の時でも電源を入れっぱなしでは無駄、電源を操作出来ることで解決出来る。
【課題の解決手段】
【００４】本体と操作部は直付しない
【００５】操作部は丸形とする
【考案の効果】
【００６】充電部の接地側、非接地側が明確、操作部との回路系統も考案しました
【実施例】
【００７】（実施完了です）仮配線を施して各回路の確認、点滅状能試験済
【図面の簡単な説明】
【００８】
【図１】本体の平面図（操作部に至る  配線系統含む）
【図２】繰作部の平面図及び断面図
【符号の説明】
【００９】１  本体の充電部端子記号Ｎ→接地側
Ｌ→非接地側
２  操作部のＳＷ→片切スイッチ。ＰＬ→表示ランプ
Ｗ→接地側
注）ＳＷ・ＰＬは１体化のものゝ使用も可能です。
【図１】
0003163789.tif 000003
【図２】
0003163789.tif 000004
【手続補正書】
【提出日】平成22年4月20日(2010.4.20)
【手続補正１】
【補正対象書類名】実用新案登録請求の範囲
【補正対象項目名】全文
【補正方法】変更
【補正の内容】
【実用新案登録請求の範囲】
【請求項１】
本体と操作部から成るテーブルタップ電源の操作『入．切』を出来る特徴を持った三方形テーブルタップ
【請求項２】
本体及び操作部の形状．構造について
本体…家庭用電気製品（容量１５Ａ．１５０Ｖ以下）の電源供給に必要な差し込み形テーブルタップで三方向負荷に適用する．
操作部…三方向の負荷の状態によって単独にて電源の『入．切』を行う
本体とは分離し．丸形構造とする．
電源コード及び操作コードによって本体と接続する．
【請求項３】
本体と操作部との関連性
負荷が未使用の際三方向の単独回路の電源操作を操作部のスイツチにて行う．
【手続補正２】
【補正対象書類名】明細書
【補正対象項目名】全文
【補正方法】変更
【補正の内容】
【考案の詳細な説明】
【技術分野】
【００１】本考案は本体と操作部から構成され．電源の『入．切』の操作が出来る特徴を持った三方形テーブルタップ
【背景技術】
【００２】従来のテーブルタップの形状（デザイン等）は無味乾燥と思われる．そこで形．系統等を考え現代風にアレンジしました。（着色・カラー→組合せ自由）
【考案の開示】
【考案が解決しょうとする課題】
【００３】負荷が未使用の時に電源を入れっぱなしでは無駄．「エコ」の観点からも電源を操作出来ることで解決出来る。
【課題の解決手段】
【００４】操作部を設けることが必要
【００５】操作部は丸形で本体とは分離する
【考案の効果】
【００６】電源の操作は手元にて可能に依り『スイッチ』をこまめに『入．切』を行うことで僅かでも「エコ」にも役立ち全口的に普及すれば社会貢献にもなります．
【実施例】
【００７】実施完了です
仮配線を施して各回路の確認．点滅状態．試験済
【図面の簡単な説明】
【００８】
【図１】操作部に配線系統を含む平面図
【図２】操作部の平面図及び断面図
【符号の説明】
【００９】１  本体の充電部端子記号
Ｎ→接地側  Ｌ→非接地側
２  操作部のＳＷ→片切スイッチ
ＰＬ→表示ランプ．Ｗ→接地側
注）ＳＷ・ＰＬは１体化の物の使用も可能です．
【手続補正３】
【補正対象書類名】図面
【補正対象項目名】全図
【補正方法】変更
【補正の内容】
【図１】
0003163789.tif 000005
【図２】
0003163789.tif 000006
【手続補正書】
【提出日】平成22年6月14日(2010.6.14)
【手続補正１】
【補正対象書類名】実用新案登録請求の範囲
【補正対象項目名】全文
【補正方法】変更
【補正の内容】
【実用新案登録請求の範囲】
【請求項１】
本体と操作部から成るテーブルタップにおいて前記操作部で電源の操作『入．切』をするための構成を有することを特徴とするテーブルタップ。
【請求項２】
前記操作部は本体とは分離し丸形構造であり、前記本体との接続は、電源コード及び操作コードによって連結し、電源操作『入．切』が可能な請求項１記載の三方形タップ。
【手続補正書】
【提出日】平成22年8月10日(2010.8.10)
【手続補正１】
【補正対象書類名】実用新案登録請求の範囲
【補正対象項目名】全文
【補正方法】変更
【補正の内容】
【実用新案登録請求の範囲】
【請求項１】
本体と操作部から成るテーブルタップにおいて前記操作部で電源の操作『入、切』をする為の構成を有することを特徴とする三方形テーブルタップ
【請求項２】
前記操作部は本体とは分離して丸形構造であり、前記本体とは電源及び操作コードによって連結し電源の操作『入、切』が出来る請求項１記載の三方形テーブルタップ
(57)【要約】      （修正有）【課題】オムライスに使用するライスの栄養バランスを整え、過剰な油脂類やコレステロール等があまり含まれない、さらに一人前量で複数の味が同時に楽しむことが出来るヘルシーで美味しいくて飽きのこないオムライスを提供する。【解決手段】オムライス本体には薄く延ばされた卵加工食品１を表面に被せておりその内部に炊き込みご飯２（例は鶏肉カレー炊き込みご飯）、炊き込みご飯３（例は小海老ケチャップ炊き込みご飯）のそれぞれ別種の炊き込みご飯を盛り付けている。【選択図】図１
0003163790.tif 000002
【実用新案登録請求の範囲】
【請求項１】
従来のオムライスに使用される、チキンライスやバターライス等を廃し、豊富な野菜類を加えた炊き込みご飯を使用することを特徴とするオムライス。
【請求項２】
使用する炊き込みご飯を分割して、それぞれ別種の味付けにし、一人前量で複数の味が同時に楽しめることを特徴とするオムライス。
【考案の詳細な説明】
【技術分野】
【０００１】この考案は、オムライスの調理法に関する。
【背景技術】
【０００２】従来のオムライスは、ケチャップ等で味付けしたチキンライスやバターライス等を卵で包み、その上からケチャップ、ドミグラスソース、ホワイトソース等をかけてから食されている。
【考案の概要】
【考案が解決しようとする課題】
【０００４】しかしながら従来の技術によればオムライスに使用するチキンライスやバターライス等は油を使ったご飯類を使用しており、栄養バランスが悪く、過剰な油脂類やコレステロール等も含まれ、さらに一人前量を食べる時、味が大味でために最後は飽きてしまい、食べ終わった後に満足感の薄い食べ物となっている。
そこで、この考案は、オムライスに使用するライスの栄養バランスを整え、過剰な油脂類やコレステロール等があまり含まれない、さらに一人前量で複数の味が同時に楽しむことが出来るヘルシーで美味しいくて飽きのこないオムライスを提供することを課題とする。
【課題を解決するための手段】
【０００５】以上の課題を解決する為に第一の考案として、チキンライスやバターライス等を廃し、豊富な野菜類を加えた炊き込みご飯を使用することを特徴とするオムライスである。
また、第二の考案として、使用する炊き込みご飯を分割して、それぞれ別種の味付けにし、一人前量で複数の味が同時に楽しめることを特徴とするオムライスである。
【考案の効果】
【０００６】第一考案、第二考案を用いることにより栄養バランスが整えられ、過剰な油脂類やコレステロール等が含まれず、一人前量目で複数の風味が同時に楽しめるヘルシーで美味しいオムライスが提供できる。
【図面の簡単な説明】
【０００７】
【図１】この考案の一実施形態を示す断面図である。
【図２】この考案の一実施形態を示す斜視図である。
【図３】従来技術を示す断面図である。
【考案を実施するための形態】
【０００８】この考案の一実施形態を図１、図２に示す。
オムライス本体には薄く延ばされた卵加工食品１を表面に被せておりその内部に炊き込みご飯２（例は鶏肉カレー炊き込みご飯）、炊き込みご飯３（例は小海老ケチャップ炊き込みご飯）のそれぞれ別種の炊き込みご飯を盛り付けている。
【実施例】
【０００９】炊き込みご飯２、鶏肉カレー炊き込みご飯
材料  鶏肉、玉葱、人参、ピーマン、タケノコ、カレー粉、スパイス、調味料を加え、炊飯機にて炊き込む。
炊き込みご飯３、小海老ケチャップ炊き込みご飯
材料  小海老、玉葱、人参、ピーマン、タケノコ、ケチャップ、調味料を加え炊飯機にて炊き込む。
炊き上がった風味の異なる二種類の炊き込みご飯を当方が平成２２年２月５日に出願中のセパレート式ライス型にて盛り付け、溶き卵を円形状に焼き固め、その上に被せ、ケチャップ類４をかける。
【実施形態の効果】
【００１０】上記実施例によると、図１炊き込みご飯２、図１炊き込みご飯３に含まれる油脂類は、材料（鶏肉等）に含まれる油脂成分のみで過剰な油脂類は含まれておらず、又、炊き込みご飯には豊富な野菜類を使用し、ビタミン等の栄養バランスも整えられている。
それぞれ別種の味付けされた図１炊き込みご飯２、図１炊き込みご飯３により一人前量で複数の味が同時に楽しめるようになっている。
【他の実施形態】
【００１１】図１、図２の実施形態にある薄く延ばされた卵加工食品１は他の卵加工食品（プレーンオムレツ等）であってもかまわない。
【００１２】図１の実施形態にある炊き込みご飯２、炊き込みご飯３は他の味付けされた炊き込みご飯（五目ご飯、加薬ご飯等）であってもかまわない。
【００１３】図２の実施形態にあるケチャップ類４は他の味付けされたソース（ドミグラスソース、ホワイトソース等）であってもかまわない。
【００１４】上記実施例中で使用されている器具類は作業上利便性が高いと思われるので使用しているが、他の器具類を使用してもかまわない。
【００１５】上記実施例中で使用されている炊き込みご飯は２種類２分割しているが分割数、種類等は増えてもかまわない。
【符号の説明】１薄く延ばされた卵加工食品（例は溶き卵）
２炊き込みご飯            （例は鶏肉カレー炊き込みご飯）
３炊き込みご飯            （例は小海老ケチャップ炊き込みご飯）
４ケチャップ類            （例はケチャップ）
【図１】
0003163790.tif 000003
【図２】
0003163790.tif 000004
【図３】
0003163790.tif 000005
【手続補正書】
【提出日】平成22年6月14日(2010.6.14)
【手続補正２】
【補正対象書類名】明細書
【補正対象項目名】０００１
【補正方法】変更
【補正の内容】
【０００１】
この考案は、オムライスに関する。
【手続補正３】
【補正対象書類名】明細書
【補正対象項目名】０００５
【補正方法】変更
【補正の内容】
【０００５】
以上の課題を解決するために、本考案は以下の構成を有している。
第一の考案は、豊富な野菜が使用された炊き込みご飯が、薄く延ばされた卵加工食品に被せられていることを特徴とするオムライスである。
また第二の考案は、請求項１記載のオムライスにおいて、炊き込みご飯が、味付けの異なる複数の炊き込みご飯に分割されたものである。
【手続補正４】
【補正対象書類名】実用新案登録請求の範囲
【補正対象項目名】全文
【補正方法】変更
【補正の内容】
【実用新案登録請求の範囲】
【請求項１】
豊富な野菜が使用された炊き込みご飯が、薄く延ばされた卵加工食品に被せられていることを特徴とするオムライス。
【請求項２】
前記炊き込みご飯が、味付けの異なる複数の炊き込みご飯に分割されたものであることを特徴とする請求項１記載のオムライス。
(57)【要約】      （修正有）【課題】詰替え用液体洗剤（シャンプー・リンス・ボディーシャンプー等）を本体容器（タンク）へこぼさず容易に１滴残さず完全に詰替えることが出来る液体洗剤詰替用スタンドロートを提供する。【解決手段】スタンド部は1本の円筒の両端を円筒のまま残しその内側をハーフパイプ状に切り抜いた形、すなわち二つの円筒を円の面が向かい合う状態で間隔をあけて並べ一枚の板でつなぎ合わせた形状で二つの円筒が上下になる状態で立てて使用する。ロート部はスタンド部の上の円筒にはめ込むことにより固定され、自立する様に構成し、ハンズフリーで液体洗剤を詰替える。【選択図】図３
0003163713.tif 000002
【実用新案登録請求の範囲】
【請求項１】
本考案はスタンド部とロート部で構成しており、スタンド部は1本の円筒の両端を円筒のまま残しその内側をハーフパイプ状に切り抜いた形、すなわち二つの円筒を円の面が向かい合う状態で間隔をあけて並べ一枚の板でつなぎ合わせた形状で二つの円筒が上下になる状態で立てて使用し、ロート部はスタンド部の上の円筒にはめ込むことにより固定され、自立することを特徴とするロート。
【考案の詳細な説明】
【技術分野】
【０００１】
本考案は、詰替え用液体洗剤を本体容器（タンク）へ、こぼすことなく容易に詰替えする容器である。
【背景技術】
【０００２】
現在市販されている詰替え用液体洗剤（シャンプー・リンス・ボディーシャンプー等）の本体容器（タンク）への詰替え作業は、パックの端を破断し、手で保持して詰替えを行っている。
【０００３】
しかし、液体洗剤は粘性が強く本体容器へ完全に詰替えるには長時間を要する。そのため腕が疲労し、体制を保持することが難しく、注ぎ口がずれて液体洗剤をこぼしてしまうことがある。
【０００４】
本考案は、このような問題を解決するためになされたもので、詰替え作業の疲労の軽減と、液体洗剤をこぼさずに１滴残さず完全に詰替えることを目的とする。
【先行技術文献】
【特許文献】
【０００５】
【特許文献１】特開平８−３２４５９０号公報
【０００６】
【特許文献２】特開平１０−７１５５号公報
【０００７】
【特許文献３】特開平１１−４３１５５号公報
【０００８】
【特許文献４】特開平１１−２０８７０４号公報
【０００９】
【特許文献５】特開２００４−２５００９０号公報
【００１０】
【特許文献６】特開２００５−２２５５６１号公報
【００１１】
【特許文献７】特開２００５−２８０７２６号公報
【００１２】
【特許文献８】特開２００５−３４３５４７号公報
【００１３】
【特許文献９】特開２００７−１７６５６４号公報
【考案の概要】
【考案が解決しようとする課題】
【００１４】
液体洗剤を本体容器へ詰替える作業に長時間要するため肉体的に疲労する。その疲労により詰替え体制を保持することが難しく、注ぎ口がずれて液体洗剤をこぼしてしまう可能性が大きい。
【００１５】
液体洗剤は粘性が強いため、どうしてもパックの中に残ってしまい、完全に移し替えることが難しい。
【課題を解決するための手段】
【００１６】
本考案は、液体洗剤を本体容器へ注ぐためのロート部とそのロート部を保持するスタンド部で構成し、ハンズフリーで液体洗剤を詰替える。
【００１７】
スタンド部の下部にポンプを外した本体容器を置き、スタンド部の上部にロート部を差し込む。詰替え用液体洗剤のパックの上部を全て破断し、破断した部分を下向きにロート部へ差し込む。液体洗剤が完全に詰替えられるまで放置する。
【考案の効果】
【００１８】
詰替え中、液体洗剤のパックを手で保持しないため疲労しない。また、液体洗剤をこぼすことなく、完全に詰替えることができる。
【図面の簡単な説明】
【００１９】
【図１】図１はロート部の平断面図である。
【図２】図２はスタンド部の平断面図である。
【図３】図３はロート部をスタンド部に差し込んだ、詰替え待ち状態である。
【図４】図４は詰替え中の状態である。
【考案を実施するための形態】
【００２０】
市販されているロートを使用してもロートと詰替えパックを手で保持しなければならない。図１の詰替え用のロート部と図２のスタンド部を組み合わせて、作業をハンズフリー化することにより、肉体的疲労の解消と完全詰替えを実現した。
【００２１】
ロート部は洗浄の容易さを考慮し、スタンド部と分離した。
【００２２】
ロート部は詰替え用液体洗剤がパックごと収まる構造とした。
【実施例】
【００２３】
図４は詰替え中の状態で、状態を放置することにより最後の１滴までポンプに詰替えることができる。
【図１】
0003163713.tif 000003
【図２】
0003163713.tif 000004
【図３】
0003163713.tif 000005
【図４】
0003163713.tif 000006
(57)【要約】      （修正有）【課題】異なる色温照明を調整可能なＬＥＤランプ構造を提供する【解決手段】本ＬＥＤランプ構造は、主に、基板１００に複数の冷白色発光ダイオード２００と複数の発光ダイオード３００とが設けられ、発光ダイオードの波長は、５８０ｎｍ〜６６０ｎｍであり、冷白色発光ダイオードの光と発光ダイオード光とが互いに混合し、仕様ニーズに応じてその色温を調整できる。【選択図】図１
0003163751.tif 000002
【実用新案登録請求の範囲】
【請求項１】
基板と、
前記基板に設けられた複数の冷白色発光ダイオードと、
前記基板に設けられた複数の発光ダイオードと、を備え、
前記発光ダイオードの波長は、５８０ｎｍ〜６６０ｎｍであり、前記冷白色発光ダイオードの光と前記発光ダイオードの光とが互いに混合していることを特徴とするLEDランプ構造。
【請求項２】
前記発光ダイオードは、赤色発光ダイオード及びオレンジ色発光ダイオードのうち何れか一つであることを特徴とする請求項１に記載のLEDランプ構造。
【請求項３】
前記冷白色発光ダイオードと前記発光ダイオードとが、前記基板に互いに平行して配列されていることを特徴とする請求項１に記載のLEDランプ構造。
【請求項４】
前記冷白色発光ダイオードと前記発光ダイオードとが、前記基板に互いに交差して配列されていることを特徴とする請求項１に記載のLEDランプ構造。
【考案の詳細な説明】
【技術分野】
【０００１】
本考案は、点灯器具構造に係り、特に、色温を調整可能なLEDランプ構造に関るものである。
【背景技術】
【０００２】
今日、人々は、灯光照明器具で暗い空間或いは光が遮断された場所を改善し、光を充分に提供することによって、長期間に亘って光の不足による視力ぼけや近視などの問題を避けるようにしている。また、省エネ、排出抑制の環境保護への要求のため、さらに、発光ダイオード(LED)が発明されたきっかけに、発光光源については、電気消費量が大きいタングステン電球から省電力や、環境に優しく、体積が小さい発光ダイオード(LED)まで改良されてきた。
【０００３】
従来の発光ダイオード点灯器具は、主に回路板を含み、該回路板に複数の発光ダイオードが設けられ、回路板により発光素子を制御して光源を供給する。しかしながら、発光ダイオード点灯器具が供給した照明色温が、搭載の発光ダイオードに応じて定める必要がある。すなわち、冷白色光の発光ダイオードを搭載すれば、冷白色光の照明を供給し、暖白色光の発光ダイオードを搭載すれば、暖白色光の照明を供給する。異なる色温の照明を調整しようとすれば、冷白色光の発光ダイオード（色温範囲が４０００〜７０００Ｋ）と暖白色光の発光ダイオード（色温範囲が２５００〜５０００Ｋ）とを用意して互いに合わせて色温を調整しなければならないが、冷白色光の発光ダイオード及び暖白色光の発光ダイオードの光源は、独立の光源であり、その要求に応じてそれぞれ駆動する必要があるので、コストが高くなるだけではなく、作業上も非常に面倒である。
【０００４】
これに鑑みて、本考案の創作者は、専念に研究や設計、組み立てをし、快速に組み立て可能な点灯器具構造の提供を期し、その使用便利性を高めることは、本考案が創作しようとする動機である。
【考案の開示】
【考案が解決しようとする課題】
【０００５】
本考案の主な目的は、その異なる色温照明を調整可能なLEDランプ構造を提供することにある。
【課題を解決するための手段】
【０００６】
前記目的を達成するため、本考案によるLEDランプ構造は、基板と、前記基板に設けられた複数の冷白色発光ダイオードと、前記基板に設けられた複数の発光ダイオードとを備え、前記発光ダイオードの波長は、５８０ｎｍ〜６６０ｎｍであり、前記冷白色発光ダイオードの光と前記発光ダイオードの光とが互いに混合している。よって、冷白色光を暖白色光に変換し、使用ニーズに応じてその色温を調整でき、かつ、冷白色発光ダイオードの使用効率を向上し、コストを下げ、設計自由度を高め、さらに、その使用利便性の効果を向上できる。
【０００７】
本考案の特徴、特点及び技術内容をさらに深く了解を得るため、以下の本考案に係る詳細説明及び添付図面を参照すれば得られるが、前記添付図面は参考や説明のみ提供され、本考案を局限するものではない。
【図面の簡単な説明】
【０００８】
【図１】本考案に係るLEDランプ構造を示す斜視図である。
【考案を実施するための最良の形態】
【０００９】
図１は、本考案に係るLEDランプ構造を示す斜視図である。図１に示すように、LEDランプ構造は、他の異なる色温の照明を調整するため、基板１００と、複数の冷白色発光ダイオード２００と、複数の発光ダイオード３００とを備える。
【００１０】
冷白色発光ダイオード２００の光と発光ダイオード３００の光とが互いに混合し、使用ニーズに応じてその色温を調整するため、これらの冷白色発光ダイオード２００とこれらの発光ダイオード３００とが基板１００に互いに平行または交差して配列された。ここで、発光ダイオード３００は、赤色発光ダイオード、オレンジ色発光ダイオード、または赤色／オレンジ色発光ダイオードであり、発光ダイオード３００の波長は、５８０ｎｍ〜６６０ｎｍである。
【００１１】
本実施例では、基板１００に複数の冷白色発光ダイオード２００と複数の発光ダイオード３００とが設けられ、複数の冷白色発光ダイオード２００と複数の発光ダイオード３００とが互いに平行に配列され、発光ダイオード３００は、赤色／オレンジ色発光ダイオードであり、冷白色発光ダイオード２００の冷白色光が発光ダイオード３００の光と直接に混合され、冷白色光を暖白色光に変換でき、構造簡単、且つ元の冷白色発光ダイオード２００をオフせず、仕様ニーズに応じてその色温を調整できる。
【００１２】
以上のように、本考案によるLEDランプ構造は、主に、基板に複数の冷白色発光ダイオード２００と複数の発光ダイオード３００とが設けられ、発光ダイオード３００の波長は、５８０ｎｍ〜６６０ｎｍであり、冷白色発光ダイオード２００の光と発光ダイオード３００の光とが互いに混合し、元の冷白色発光ダイオード２００をオフせず、仕様ニーズに応じてその色温を調整でき、かつ、冷白色発光ダイオードの使用効率を向上し、コストを下げ、設計自由度を高め、さらに、その使用利便性の効果を向上できる。
【００１３】
しかし、以上のように単に本考案の好ましい具体的な実施例に過ぎず、本考案の実用新案登録請求の範囲を局限するものではなく、いずれの当該分野における通常の知識を有する専門家は、本考案の分野の中で、適当に変更や修飾などを実施できるが、それらの実施が本考案の主張範囲内に納入されるべきことは言うまでもないことである。
【符号の説明】
【００１４】
１００  基板
２００  冷白色発光ダイオード
３００  発光ダイオード
【図１】
0003163751.tif 000003
(57)【要約】      （修正有）【課題】装着された面部の安定を図ることを目的とした五月節句用鎧兜の芯木を提供する。【解決手段】支持台２２と、該支持台に直立する断面四角形状支柱２３と、該支柱に取り付けられる鎧飾りの胴部の整形用横木２４と、前記支柱の頂部に固定される冠木３０と、からなる五月節句用鎧兜の芯木２１において、前記支柱の冠木より下部であって、前記支柱に横設される鎧飾りの胴部の整形用横木よりも上部の支柱の一側面に、面頬２９の徒動防止用前向部材３２を突設することを特徴としている。【選択図】図４
0003163496.tif 000002
【実用新案登録請求の範囲】
【請求項１】
支持台と、該支持台に直立する断面四角形状支柱と、該支柱に取り付けられる鎧飾りの胴部の整形用横木と、前記支柱の頂部に固定される冠木と、からなる五月節句用鎧兜の芯木において、前記支柱の冠木より下部であって、前記支柱に横設される鎧飾りの胴部の整形用横木よりも上部の支柱の一側面に、面頬の徒動防止用前向部材を突設することを特徴とする五月節句用鎧兜の芯木。
【考案の詳細な説明】
【考案の詳細な説明】
【技術分野】
【０００１】  本考案は、五月節句用鎧兜を飾り付けるための芯木に関するものである。
【技術背景】
【０００２】  従来、五月節句用時に飾る鎧兜は、日本の武具である甲冑をミニチュア化したものであるから、その飾り付けに際しては、芯木（しんぎ）を用いる必要がある。
【０００３】  図１は、従来公知の芯木を用いた鎧兜飾りを例示しており、芯木１は支持台２と、該支持台２に直立した状態で基部を固着される支柱３と、該支柱３に固着した状態で取り付けられる鎧飾りの胴部の整形用横木４と、前記支柱３の頂部に水平な状態で固着される冠木５と、から構成されていて、該冠木５に鎧６の肩部を引懸け、その上に兜７を載置して飾るものである。
【０００４】  図２は、武将の顔部分に見立てた面頬を示し、該面頬８の面頬本体９の下方に突設した首部１０に胸当て１１を垂設するとともに、面頬本体９の上部両端に係止孔１２を設け、該係止孔１２に係止紐１３を取り付けた構造としており、該面頬本体９の係止紐１３を芯木１の冠木５に引懸けるようにして係止させることで、芯木１の前面に前記面頬８を垂下した状態で取り付けることができる。
【考案の開示】
【考案が解決しようとする課題】
【０００５】  ところで、上記従来例の如く、面頬８を、単に芯木１の冠木５に引懸けて取り付けるだけのものにあっては、不意の手触りや室内の振動等により面頬８に左右のズレが生じたり、面頬８が引っ込むなどして、面頬８の位置を端正に保てないと言う難点があり、そのため、五月節句飾りとしての鎧兜飾りの見映えを損なうなどの不具合があった。
【課題を解決するための手段】
【０００６】  本考案は、このような従来の不具合を解消できる五月節句用鎧兜の芯木に係り、本考案の芯木は支持台と、該支持台に直立する断面四角形形状支柱と、
該支柱に取り付けられる鎧飾りの胴部の整形用横木と、前記支柱の頂部に固定される冠木と、からなる五月節句用鎧兜の芯木において、前記支柱の冠木より下部であって、前記支柱に横設される鎧飾りの胴部の整形用横木よりも上部の支柱の一側面に、面頬の徒動防止用前向部材を突設することを特徴としている（請求項１）。
【考案を実施する最良の形態】
【０００７】  本考案の実施形態を、図３，図４，図５及び図６に基き説明する。
【０００８】  図３は、本考案の斜視図，図４は本考案に使用する芯木の斜視図，図５は芯木の側断面図，図６は芯木の支柱と面頬との関連構成を示す説明図である。
【０００９】  本考案の芯木２１は、支持台２２と、該支持台２２に直立する断面四角形状支柱２３と、該支柱２３に取り付けられる鎧飾りの胴部の整形用横木２４と、前記支柱２３の頂部に固定される冠木３０と、から構成され、前記支柱２３の冠木３０より下部であって、前記支柱２３に横設される鎧飾りの胴部の整形用横木２４よりも上部の支柱の一側面３１に、面頬２９の徒動防止用前向部材３２を突設することを特徴としている（請求項１）。
【００１０】  前記支柱２３の頂部に設けられる冠木３０は、鎧２５の肩部の引懸けと、図６に示す如く、面頬２９の係止紐２８を引懸けし、図４に示す如く面頬２９を前面に垂下するのを可能にし、かつ、兜２６の載置を司るものである。
【００１１】  以上の如き、芯木２１に鎧飾り３３を装着するに際しては、予め組み立てた鎧飾り３３を芯木２１の上部から被せるようにし、鎧飾り３３の肩部を冠木３０に引懸ければ組立てが終了し、以後、面頬２９の係止紐２８を冠木３０に引懸け、面頬２９を前面に垂下した状態にすると、前記支柱２３の一側面３１に突設する徒動防止用前向部材３２が面頬２９の内面に接するかたちとなり、該面頬２９の支えとなるから、該面頬２９の装着位置を正常位置に保つことが可能になる。
【考案の効果】
【００１２】  従って、本考案によれば、支柱の頂部の冠木に係止され、かつ、垂下する状態の面頬の内面を、支柱の冠木よりも下部であって、支柱に横設される鎧飾りの胴部の整形用横木よりも上部の徒動防止用前向部材が支えるから、面頬の装着位置が左右にズレたり、或いは、引っ込むようなことがなく、全体として五月節句の鎧兜飾りを立派に表現できる効果が得られる。
【００１３】  尚、上述の芯木は通常木製であるが、その他の材料、例えばプラスチック，金属などを使用しても本考案を実施することができる。
また、芯木を構成する各部材の接合は、ホゾとホゾ孔との嵌合，接着，ネジ止め等の手段により実施することができる。
【図面の簡単な説明】
【図１】従来の斜視図である。
【図２】従来例に関連した面頬の正面図である。
【図３】本考案の正面図である
【図４】本考案に使用する横木の斜視図である
【図５】本考案に使用する芯木の側断面図である。
【図６】芯木の徒動防止用前向部材と、面頬との関連構成を示す説明図である。
【符号の説明】２１  芯木
２２  支持台
２３  支柱
２４  整形用横木
２５  鎧
２６  兜
２８  係止紐
２９  面頬
３０  冠木
３１  支柱の一側面
３２  徒動防止用前向部材
３３  鎧飾り
【図１】
0003163496.tif 000003
【図２】
0003163496.tif 000004
【図３】
0003163496.tif 000005
【図４】
0003163496.tif 000006
【図５】
0003163496.tif 000007
【図６】
0003163496.tif 000008